(57)【要約】【課題】通信装置を提供する。【解決手段】通信装置が提供される。第一無線モジュールは、第一ワイヤレスコミュニケーションサービスを提供し、第一プロトコルに従って、第一通信装置と通信する。第二無線モジュールは、第二ワイヤレスコミュニケーションサービスを提供し、第二プロトコルに従って、第二通信装置と通信する。共同設置共存無線管理器は、第一無線モジュールの活動を検出し、第一無線モジュールから、第一無線モジュールのダウンリンク、及び/又は、アップリンクトラフィックアロケーションを記述する第一トラフィックパターンを得て、第一トラフィックパターンに従って、第二無線モジュールの第二トラフィックパターンを生成し、第一と第二無線モジュールの操作を調和する。第二トラフィックパターンは、第二無線モジュールの複数のサブフレームに、推奨ダウンリンク、及び/又は、アップリンクトラフィックアロケーションを記述し、第二プロトコルにより定義される各サブフレームは、直交周波数分割多重符号を含む。【選択図】図１
2011530251.tif 000002
【特許請求の範囲】
【請求項１】
通信装置であって、
第一ワイヤレスコミュニケーションサービスを提供し、第一プロトコルに従って、第一通信装置と通信する第一無線モジュールと、
第二ワイヤレスコミュニケーションサービスを提供し、第二プロトコルに従って、第二通信装置と通信する第二無線モジュールと、
前記第一無線モジュールの活動を検出し、前記第一無線モジュールから、前記第一無線モジュールのダウンリンク、及び/又は、アップリンクトラフィックアロケーションを記述する第一トラフィックパターンを得て、前記第一トラフィックパターンに従って、前記第二無線モジュールの第二トラフィックパターンを生成し、前記第一と前記第二無線モジュールの操作を調和する共同設置共存無線管理器と、
を備え、
前記第二トラフィックパターンは、推奨ダウンリンク、及び/又は、アップリンクトラフィックアロケーションを、前記第二無線モジュールの複数のサブフレームに記述し、前記第二プロトコルにより定義される各サブフレームは、複数の直交周波数分割多重符号を含むことを特徴とする通信装置。
【請求項２】
前記第二無線モジュールは、更に、前記第二トラフィックパターンを前記第二通信装置に伝送するステップと、前記第二通信装置から、ダウンリンク、又は、アップリンクマップを受信するステップと、前記ダウンリンク、又は、アップリンクマップに従って、前記第二通信装置からデータを受信、又は、前記第二通信装置に送信するステップと、を含み、
前記ダウンリンク、又は、アップリンクマップは、前記第二トラフィックパターンに従って、前記第二通信装置により生成されることを特徴とする請求項１に記載の通信装置。
【請求項３】
前記第二トラフィックパターンは、ビットシーケンスにより、前記サブフレームの推奨ダウンリンク、及び/又は、アップリンクトラフィックアロケーションを記述するサブフレームビットマップであることを特徴とする請求項１に記載の通信装置。
【請求項４】
前記サブフレームビットマップの各ビットが、第一ロジックレベルに設定され、前記対応するサブフレーム期間、前記第二通信装置が、前記第二無線モジュールに対し、ダウンリンク、又は、アップリンクトラフィックを割り当てないように推薦されることを示し、
前記サブフレームビットマップの各ビットが、第二ロジックレベルに設定され、前記対応するサブフレーム期間、前記第二通信装置が、前記第二無線モジュールに対し、ダウンリンク、又は、アップリンクトラフィックを自由に割り当てることを示すことを特徴とする請求項３に記載の通信装置。
【請求項５】
通信装置であって、
第一ワイヤレスコミュニケーションサービスを提供し、第一プロトコルに従って、第一通信装置と通信する第一無線モジュールと、
第二ワイヤレスコミュニケーションサービスを提供し、第二プロトコルに従って、第二通信装置と通信し、学習フェーズに進入し、第一要求メッセージを前記第二通信装置に伝送して、不在期間を要求して、前記第一無線モジュールの初期設定、又は、接続設定操作をサポートする第二無線モジュールと、
を備えることを特徴とする通信装置。
【請求項６】
前記第二無線モジュールは、更に、前記学習フェーズで、前記第一無線モジュールの複数の無線特徴を識別し、
前記無線特徴は、伝送電力、受信感度、前記第一無線モジュールから得られる前記第一無線モジュールのダウンリンク、及び/又は、アップリンクトラフィックアロケーションを記述する第一トラフィックパターンを含むことを特徴とする請求項５に記載の通信装置。
【請求項７】
前記学習フェーズで、データを前記第二無線モジュールに伝送する時、前記第二通信装置は、更に、伝送信頼度を増加させることを特徴とする請求項５に記載の通信装置。
【請求項８】
前に用いられた変調及びコーディングスキームよりも更にしっかりとしたダウンリンク変調及びコーディングスキームを使用して、前記伝送信頼度を増加させることを特徴とする請求項７に記載の通信装置。
【請求項９】
ダウンリンクバースト伝送電力を増加することにより、前記伝送信頼度が増加することを特徴とする請求項７に記載の通信装置。
【請求項１０】
ダウンリンクとアップリンクトラフィック両方で、自動再送要求、又は、ハイブリッド自動再送要求に対し、更に再伝送を割り当てることにより、前記伝送信頼度が増加することを特徴とする請求項７に記載の通信装置。
【請求項１１】
前記第二モジュールは、更に、第二要求メッセージを前記第二通信装置に伝送し、前記第一無線モジュールの前記初期設定、又は、接続設定操作が完成されず、且つ、前記前の要求期間がタイムアウトになりそうな時、別の学習フェーズを開始することを特徴とする請求項５に記載の通信装置。
【請求項１２】
前記第二無線モジュールは、更に、前記第二通信装置からの応答メッセージを受信し、前記学習フェーズ延長の確認、又は、前記要求の拒絶を含むことを特徴とする請求項５に記載の通信装置。
【請求項１３】
前記第一無線モジュールが調査工程を実行し、付近の装置、又は、ページ工程を発見して、前記第一無線モジュールと前記第一無線通信サービス間にリンクを構築する時、前記第二無線モジュールは、前記学習フェーズに進入することを特徴とする請求項５に記載の通信装置。
【請求項１４】
前記第一無線モジュールは、アクセス工程を実行し、アクセスポイントへの関連付けを試みる時、前記第二無線モジュールは前記学習フェーズに進入することを特徴とする請求項５に記載の通信装置。
【請求項１５】
前記第一無線モジュールが、オン、オフ、又は、停止する時、前記第二無線モジュールは、前記学習フェーズに進入することを特徴とする請求項５に記載の通信装置。
【請求項１６】
前記第一無線モジュールが異なる通信モード間で変化する時、前記第二無線モジュールは、前記学習フェーズに進入することを特徴とする請求項５に記載の通信装置。
【請求項１７】
第一無線モジュールと第二無線モジュールを含む移動電子装置からの共同設置共存要求に応答する方法であって、基地局により実行され、本方法は、
前記移動電子装置から共同設置共存要求を受信し、前記共同設置共存要求は、前記第二無線モジュールにトラフィック不在期間を要求して、前記第一無線モジュールの操作による干渉を回避させるステップと、
前記要求された期間、前記第二無線モジュールにデータを伝送するときの伝送信頼度を増加するステップと、
を備えることを特徴とする方法。
【請求項１８】
前に用いられた変調及びコーディングスキームよりも更にしっかりとしたダウンリンク変調及びコーディングスキームを使用して、前記伝送信頼度を増加させることを特徴とする請求項１７に記載の方法。
【請求項１９】
ダウンリンクバースト伝送電力を増加することにより、前記伝送信頼度が増加することを特徴とする請求項１７に記載の方法。
【請求項２０】
ダウンリンクとアップリンクトラフィック両方で、自動再送要求、又は、ハイブリッド自動再送要求に対し、更に再伝送を割り当てることにより、前記伝送信頼度が増加することを特徴とする請求項１７に記載の方法。
【発明の詳細な説明】
【技術分野】
【０００１】
本発明は、通信装置中の複数のワイヤレスコミュニケーションサービスの操作を調和する方法に関するものであって、特に、通信装置中の複数のワイヤレスコミュニケーションサービスの操作を調和し、信号干渉を回避する方法に関するものである。
【背景技術】
【０００２】
ワイヤレスコミュニケーション技術の発展に伴い、移動電子装置は、一つ以上のワイヤレスコミュニケーションサービス、例えば、ブルートゥース、ワイヤレスフィディリティ (WiFi)、マイクロウェーブアクセス (WiMAX) ワイヤレスコミュニケーションサービスの世界的な相互運用等を提供する。この点で、異なるワイヤレスコミュニケーションサービス間の重複、又は、隣接する操作周波数バンドは、伝送パフォーマンスを悪化させる。 表１は、WiMAX、WiFiと ブルートゥースワイヤレスコミュニケーションサービスの操作周波数バンドを示す。
【０００３】
【表１】
2011530251.tif 000003
【０００４】
表１で示されるように、WiFiとブルートゥースの周波数バンドは、互いに重複する。この他、WiFiとブルートゥースの周波数バンドは、WiMAXの周波数バンドに隣接する。これらのワイヤレスコミュニケーションサービスが移動電子装置中に整合される時、異なるワイヤレスコミュニケーションサービスによる同時送受信は伝送干渉を生じる。
【０００５】
これにより、通信装置中の複数のワイヤレスコミュニケーションサービスの操作を調和する方法が必要とされる。
【発明の概要】
【発明が解決しようとする課題】
【０００６】
本発明は、移動電子装置からの共同設置共存(CLC)要求に応答する通信装置と方法を提供し、上述の問題を解決することを目的とする。
【課題を解決するための手段】
【０００７】
移動電子装置からの共同設置共存(CLC)要求に応答する通信装置と方法が提供される。通信装置の具体例は、第一無線モジュール、第二無線モジュール、及び、共同設置共存(CLC)無線管理器を含む。第一無線モジュールは、第一ワイヤレスコミュニケーションサービスを提供し、第一プロトコルに従って、第一通信装置と通信する。第二無線モジュールは、第二ワイヤレスコミュニケーションサービスを提供し、第二プロトコルに従って、第二通信装置と通信する。 CLC 無線管理器は、第一無線モジュールの活動を検出し、第一無線モジュールから、第一無線モジュールのダウンリンク、及び/又は、アップリンクトラフィックアロケーションを記述する第一トラフィックパターンを得て、第一トラフィックパターンに従って、第二無線モジュールの第二トラフィックパターンを生成し、第一と第二無線モジュールの操作を調和する。第二トラフィックパターンは、推奨ダウンリンク、及び/又は、アップリンクトラフィックアロケーションを、第二無線モジュールの複数のサブフレームに記述し、第二プロトコルにより定義される各サブフレームは、複数の直交周波数分割多重 (OFDM) 符号を含む。
【０００８】
通信装置の別の具体例は、第一無線モジュールと第二無線モジュールを有する。第一無線モジュールは、第一ワイヤレスコミュニケーションサービスを提供し、第一プロトコルに従って、第一通信装置と通信する。第二無線モジュールは、第二ワイヤレスコミュニケーションサービスを提供し、第二プロトコルに従って、第二通信装置と通信し、学習フェーズに進入し、第一要求メッセージを第二通信装置に伝送して、不在期間を要求して、第一無線モジュールの初期設定、又は、接続設定操作をサポートする。
【０００９】
別の具体例による第一無線モジュールと第二無線モジュールを含む移動電子装置からの共同設置共存 (CLC)要求に応答する方法は、基地局により実行され、本方法は、移動電子装置からCLC要求を受信し、CLC要求は、第二無線モジュールにトラフィック不在期間を要求して、第一無線モジュールの操作による干渉を回避させるステップと、要求された期間、第二無線モジュールにデータを伝送するときの伝送信頼度を増加するステップと、からなる。
【発明の効果】
【００１０】
通信装置中の複数のワイヤレスコミュニケーションサービスの操作を調和し、信号干渉を回避することができる。
【図面の簡単な説明】
【００１１】
【図１】本発明の具体例によるマルチ無線通信システムを示す図である。
【図２】IEEE 802.11のスキャニング、認証と関連プロセスの例を示す図である。
【図３】WLANモジュールが節電 （PS）モードに進入することを示す情報を伝達する作用を示す図である。
【図４】媒体アクセス制御 (MAC) フレームフォーマットの具体例を示す図である。
【図５】アクセスポイント (AP)からバッファ型パケットを得る作用の例を示す図である。
【図６】スケジュールで、バッファ型パケットを得るフレーム交換を示す図である。
【図７】WLAN とブルートゥース間の周波数干渉を示す図である。
【図８】6個のスロット毎の HV3 パケット伝送を示す図である。
【図９】ACLリンクの連接状態を示す図である。
【図１０】傍受アンカーポイントを示す図である。
【図１１】マスターとスレーブ装置間のデータ伝送を示す図である。
【図１２ａ】マルチ無線共存状況を示す図である。
【図１２ｂ】マルチ無線共存状況を示す図である。
【図１２ｃ】マルチ無線共存状況を示す図である。
【図１３】フレームアロケーションの送受信を示すトラフィックパターンを示す図である。
【図１４】IEEE 802.16m プロトコル構造を示す図である。
【図１５】本発明の具体例による基本WiMAXフレーム構造を示す図である。
【図１６】本発明の具体例によるCLC要求のメッセージフローを示す相互作用図 である。
【図１７】本発明の具体例による学習フェーズのCLC要求のメッセージフローを示す相互作用図である。
【図１８】本発明の具体例による交渉段階のCLC要求のメッセージフローを示す相互作用図である。
【図１９】本発明の具体例によるCLC パラメータを更新/消去/形成するCLC要求のメッセージフローを示す相互作用図である。
【図２０】本発明の具体例によるWiMAX トラフィックパターンを生成する方法をフローチャート図である。
【図２１】本発明の具体例によるトラフィックパターンを示す図である。
【図２２】本発明の具体例によるサブフレームビットマップを生成する方法のフローチャート図である。
【図２３】本発明の具体例によるトラフィックパターンを示す図である。
【図２４】本発明の具体例によるトラフィックパターンを示す図である。
【発明を実施するための形態】
【００１２】
ワイヤレスコミュニケーション技術が発達するにつれて、異なるワイヤレスコミュニケーションサービスを提供する無線モジュールは、移動電子装置中に、共同設置され、共存する。図1 は、本発明の具体例によるマルチ無線通信システムを示す図である。移動電子装置 100 は、ノート型パソコン、携帯電話、携帯型ゲーム機、ポータブルマルチメディアプレーヤー、グローバルポジショニングシステム (GPS)、レシーバー等である。移動電子装置 100は、異なるワイヤレスコミュニケーションサービスを提供する複数の無線モジュールを含む。例えば、移動電子装置 100 は、IEEE 802.11 無線モジュール 101、 IEEE 802.16 無線モジュール 102、 IEEE 802.15.1 無線モジュール 103、及び、共同設置共存 (CLC) 無線管理器 104を含む。IEEE 802.11 無線モジュール 101 は、無線インターフェースにより、IEEE 802.11 プロトコルに従って、IEEE 802.11 装置201 と通信する。例えば、IEEE 802.11 装置201 は、IEEE 802.11 基地局 (BS)、アクセスポイント (AP)、又は、 ステーション (STA)である。IEEE 802.11 モジュール101 は、IEEE 802.11 基地局 (BS)、アクセスポイント (AP)、又は、ルーターとして操作するステーション (STA) で、IEEE 802.16 装置202により、IEEE 802.11 装置201 がインターネットに接続する。IEEE 802.16 無線モジュール 102は、無線インターフェースにより、IEEE 802.16 プロトコル順守で、IEEE 802.16 装置202と通信する。例えば、IEEE 802.16 装置202は、IEEE 802.16 基地局 (BS) 、又は、中継局 (RS)である。IEEE 802.15.1 無線モジュール 103 は、無線インターフェースにより、IEEE 802.15.1 プロトコル に従って、IEEE 802.15.1 装置203 と通信する。IEEE 802.15.1 装置203 は、例えば、ブルートゥースハンドセットである。 CLC 無線管理器 104 は、IEEE 802.16 無線モジュール 102 と CLC 無線モジュール間にインターフェースを提供し、IEEE 802.16 無線モジュール 102 と CLC 無線モジュールの活動を検出して、それらの間の操作を調和する。CLC 無線モジュールは、移動電子装置 100中で、IEEE 802.16 無線モジュールと共存設置され、共存する無線モジュールで、無線信号の送受信時、IEEE 802.16 無線モジュール 、例えば、 図1で示されるようなIEEE 802.11 無線モジュール 101 と IEEE 802.15.1 無線モジュール 103 を干渉する。本発明のある具体例中、各無線モジュールは、個々に、無線信号を送受信するアンテナを有する。しかし、一アンテナを、複数の無線モジュール間で共有するように設計し、面積効率を改善してもよく、本発明は、これに限定されない。
【００１３】
IEEE 802.11 は、2.4, 3.6 と 5 GHz 周波数バンドで、ワイヤレスローカルエリアネットワーク (WLAN) 通信を実行する一組の基準である。移動電子装置 100に組み込まれたWLANモジュール (IEEE 802.11 無線モジュール 101等) は、ワイヤレスで使用されて、インターネットに接続され、ウェブページのブラウズ、Eメールの送受信、オンラインチャット、マルチメディアコンテンツのダウンロードや再生を行う。WLAN は、通常、ビル内の有線LANの延伸として実施され、有線ネットワークとモバイル、又は、固定性装置間の最後の数メートルの接続性を提供することができる。多くのWLAN は、2.4 GHz ライセンスフリー周波数バンドで操作し、2 Mbpsに達するスループット率を有する。802.11b 規格は、単なる直接シーケンスで、11 Mbpsに達するスループット率を提供する。802.11g 規格 は、54 Mビット/s の最大原始データ速度、又は、約 19 Mビット/s ネットスループットで操作する。WLANモジュールは、アクセスポイントにより、ユーザーとLANを接続する。アクセスポイント(AP) は、通常、WLANモジュールと有線ネットワークインフラ間で、データを受信、緩衝、伝送する。各アクセスポイントは、平均、20個の装置をサポートし、且つ、被覆範囲の障害(壁、階段、エレベーター等)がある領域中、20 メートルに達し、視線がはっきりした領域中で、100 メートルに達する。
【００１４】
図２は、IEEE 802.11のスキャニング、認証と関連プロセスを示す図である。 WLANモジュールのアクセスプロセスは３ステップを含み、アクティブ/パッシブスキャニング、認証と関連付けて、WLANモジュールをAPに結びつける。WLANモジュールは、アクティブスキャニングを用いて、周囲のワイヤレスネットワークをスキャンし、互換性があるものを位置づける。アクティブスキャニングの一方法中、WLANモジュールは、チャネルリストを用意し、それぞれの上で、プローブ要求 (SSID ヌルを有する) フレームを放送する。プローブ要求を受信するAPは、プローブ応答を伝送する。WLANモジュールは、強い信号により、APと関連付けられる。別の方法中、WLANモジュールは、プローブ要求 (特定の SSIDを有する)だけをユニキャストする。APが プローブ要求を受信する時、プローブ応答を伝送する。このアクティブスキャニングモードは、WLANモジュールが、特定のワイヤレスネットワークにアクセスできるようにする。パッシブスキャニングは、WLANモジュールにより用いられ、周期的に、APにより伝送されるビーコンフレームを聞くことにより、周囲のワイヤレスネットワークを発見する。WLANモジュールは、チャネルリストを準備し、これらのチャネルのそれぞれで、ビーコンを聞く。不法クライアントがワイヤレスネットワークにアクセスしないようにするため、WLAN中の全AP、又は、WLANと関連するAP間を管理するWLANモジュールとアクセスコントローラー(AC)間で認証が必要である。二種の認証、オープンシステム認証と共有鍵認証が使用される。WLANモジュールが、特定の SSIDを有する互換性のあるネットワークを選択し、APを認証する時、関連付け要求フレームをAPに伝送する。APは、関連付け応答をWLANモジュールに伝送し、クライアント情報をそのデータベースに加える。WLANモジュールは、長時間、節電（PS）モード (スリープモードとも称される)に進入する。図３は、フレームに搭載された要求を示し、要求は、PSモードに進入したことを示す情報を有する。このような情報は、図４で示されるMACデータ400中のフレーム制御領域410の電源管理ビット420により搭載される。その後、APは、現在、PSモードで作動するWLANモジュールの継続的な更新記録を維持し、WLANモジュールが、ポーリング要求(簡単には PS-ポーリング)をAPに伝送して、パケットに特別に要求するまで、WLANモジュールにアドレスされるパケットを緩衝する。ビーコンフレームの一環として、APは、どのWLANモジュールが、APで、パケットバッファ型を有するかを示す情報を周期的に伝送し、情報は、MACデータ400のフレーム本体フィールド460のトラフィック通知マップ(TIM)情報素子に搭載される。よって、WLANモジュールは、周期的に目覚め、ビーコンフレームを受信する。少なくとも一つのパケットがAPで保存され、伝送待ちである指示がある場合、その後、対応するWLANモジュールは目を覚ましていて、PS-ポーリングをAPに送り、バッファ型パケットを得る。バッファ型パケットを取得するWLANモジュールとAP間のシグナル伝達の詳細は、図５で示される。この他、データが、受信されたデータフレーム、又は、管理フレーム中のAP上に保存されることを示す場合、データは、MACデータ400のフレーム制御領域410のデータビット430中に搭載され、その後、対応するWLANモジュールは、目を覚ましてい���、PS-ポーリングをAPに送る。ビーコンフレーム、PS-ポーリング、確認応答とデータフレームは、MACデータ400のフレーム制御領域410のタイプ、及び、サブタイプビット440と450により識別される。
【００１５】
図６は、スケジュールで、バッファ型パケットを得るフレーム交換を示す図である。APは、周期的に、ネットワークに関する全情報を含むビーコンフレーム610を伝送し、WLAN ネットワークの存在を伝える。WLANモジュールが、ビーコンフレーム610の受信時に、APにパケットバッファ型があると識別する時、WLANモジュールは、PS-ポーリング要求620を伝送することにより、パケットを要求する。PS-ポーリング要求620受信後、APは、確認応答(ACK)630で応答し、バッファ型フレーム640を伝送する。最後に、WLANモジュールは、受信したフレームに基づいて、確認応答(ACK)650でAPに応答する。注意すべきことは、上述しないWLAN 通信のプロトコルは、対応するIEEE802.11規格を参照することができ、ここでは詳述しない。
【００１６】
IEEE 802.15 は、IEEE 802の 第15ワーキンググループで、ワイヤレスパーソナルエリアネットワーク (PAN) 規格を専門とし、IEEE 802.15.1 は、ブルートゥースの一組の規格である。ブルートゥースは、短距離上で、固定、及び、移動装置からデータを交換するオープンワイヤレスプロトコルで、パーソナルエリアネットワークを形成する。WLAN と ブルートゥース は、共に、2.4 GHz 産業科学医療用 (ISM) バンドの部分を占有し、83 MHz幅である。図７を参照すると、ブルートゥースは、周波数ホッピングスペクトラム拡散 (FHSS)を用い、バンド中、79個の異なる 1 MHz幅の チャネル間で、ホップする。WLAN は、FHSSに代わって、直接シーケンススペクトラム拡散 (DSSS)を用いる。そのキャリアは、一チャネルの中心、即ち、22 MHz幅で維持される。WLANモジュール (IEEE 802.11 無線モジュール 101等) とブルートゥース (IEEE 802.15.1 無線モジュール 103等) が同じ領域で操作する時、単一の 22 MHz幅の WLAN チャネルは、79個のブルートゥースチャネルの22個と同じ周波数空間を占有する。ブルートゥース伝送の周波数が、同時に進行するWLAN 伝送の周波数範囲内にある時、各信号強度に基づいて、ある程度の干渉が発生する。
【００１７】
ブルートゥース装置 (IEEE 802.15.1 装置203等) は、PANを制御するマスター装置として機能し、ブルートゥ−スモジュール (IEEE 802.15.1 無線モジュール 103等) は、マスター装置に無線方式で接続されるスレーブ装置として機能する。ブルートゥース装置は、調査工程を用いて、近くの装置を発見するか、又は、それらの位置中のその他の装置により発見される。ブルートゥース装置は、公知の調査装置で、周辺のその他の装置の調査を試み、自主的に、調査要求を伝送する。公知の発見装置として、ブルートゥース装置が調査され、及び、これらの調査要求を聞いて、応答を伝送する。調査工程は、調査要求と応答に、特別な物理チャネルを用いる。接続を形成する工程は非対称で、且つ、一個のブルートゥース装置が別のブルートゥース装置と接続可能である間(ページスキャニング)、ページ (接続) 工程を実行し、ページ工程は、一つの特定のブルートゥース装置により応答される。接続可能な装置は、特別な物理チャネルを用いて、ページング (接続) 装置から、接続要求パケットを聞く。この物理チャネルは、接続可能な装置に対し特定の属性を有し、よって、接続可能な装置の知識を有するページング装置だけが、このチャネルと通信できる。ページングと接続可能な装置は、共に、既に、ピコネット中の別のブルートゥース装置に接続される。二種の接続は、マスター装置とスレーブ装置間の通信: SCO/eSCO (同期接続配向/延伸同期接続配向) リンク、及び、 ACL (同期接続配向) リンクに用いられる。SCO/eSCOリンク (同期化リンクとも称される)は、マスター装置と特定のスレーブ装置で、対称な点対点のリンクである。マスター装置は、一定間隔で、反転スロットを用いることにより、SCO/eSCOリンクを維持する。SCO/eSCOリンク確立後、ある同期パケット(HV と DV パケット等)は、通常、音声伝送に用いられ、再伝送されない。マスター装置は、伝送に用いるパケットタイプに基づいて、一定間隔、例えば、2、4、又は、6 スロット毎に、同期パケットを伝送し、各スロットは、一般に、 625μsである。HV と DV パケットは、 通常、 SCOリンクにより伝送され、EV パケットは、通常、eSCOリンクにより伝送される。図８は、各6スロットで実行されるHV3 パケット伝送の例を示す図である。ACLリンク (同期化リンクとも称される) はPAN上に加入されるマスター装置と全スレーブ装置間のポイント対マルチポイントのリンクである。ACLリンクには保留されるスロットがない。マスター装置は、各スロット基準に基づいて、ACLリンクをあらゆるスレーブ装置に確立する。ACLリンク確立後 (つまり、連接状態に進入)、 ACL パケット (DM、DH、及び、AUX パケット等) は、一般に、データ伝送に用いられる。
【００１８】
この他、マスター装置は、定期的に、パケットを伝送し、スレーブ装置が、チャネルに同期化するのを維持する。ACLリンクの連接状態の例は、図９で示される。連接状態 910のアクティブモード中、マスターとスレーブ装置は、共に、自主的に、チャネルに加わる。マスター装置は、異なるスレーブ装置に対し、または、装置から、トラフィック需要に基づいて、伝送を手配する。アクティブスレーブ装置がアドレスされない場合、次のマスター伝送まで、アクティブスレーブ装置は休止する。連接状態 930の傍受モード中、スレーブ装置が傍受する時のスロットを短縮して、電源消耗を節約する。この他、傍受モード 930中、傍受アンカーポイントに到達した後、2、4、6 、又は、8 スロット、又は、それ以上を含む傍受試み中で、マスター装置は、パケットの送受信間を切り換える。図１０は、傍受アンカーポイントを示す図である。傍受アンカーポイントは、Tsniffの間隔で隔てられる。連接状態 910のアクティブモード中、マスター装置は、マスタースレーブスロットの任意の一つにより、スレーブ装置にデータを伝送する。傍受モード 930中、傍受アンカーポイント後、マスター装置は、傍受試み(傍受アンカーポイント後、図１０中のTsniffの傍受試み)の一つ、又は、それ以上のマスタースレーブスロット中のスレーブ装置にデータを伝送する。図１１は、マスター装置とスレーブ装置間のデータ伝送を示す図である。アクティブと傍受モード中、前のマスタースレーブスロット中から、マスター装置からデータを受信した後、スレーブ装置は、スレーブマスタースロット中のマスター装置に、データを伝送する。マスター装置から、ポーリング/ヌルパケット (マスターノードによりポーリングされるとも称される)、又は、 データパケット (データ受信とも称される) を受信後、スレーブ装置は、データパケット (データ伝送とも称される)、又は、ヌルパケット (応答とも称される) をマスター装置に伝送する。ACLリンクが切断されるのを防止するため、アクティブモード 910中、スレーブ装置は、周期的に、マスタースレーブスロットから傍受し、傍受モード 930中、傍受アンカーポイントに到達する時、スレーブ装置は、マスタースレーブスロットから傍受する。注意すべきことは、 所定数のポーリング、又は、伝送、又は、所定の期間後、応答が受信されない場合、マスター装置は、自動的に、ACLリンクとスレーブ装置を切断することである。更に、注意すべきことは、上述されないブルートゥースのプロトコルは、対応する IEEE 802.15 規格を参照することができ、ここで詳述しない。
【００１９】
IEEE 802.16 (マイクロウェーブアクセス、 WiMAXの世界的な相互運用) は、ワイヤレスブロードバンドアクセス規格で、戸外、長距離用に設計され、且つ、高スループットを有するキャリアクラスのアプリケーションである。802.16 規格は、ライセンスとライセンス免除のスペクトル両方をサポートし、802.16a は、 2-10GHz バンド中の操作に指定され、1.5 MHz 〜 20 MHzの可変チャネル帯域幅下で、高速75 Mb/s の原始ビットレートをサポートする。WiMAXモジュール (IEEE 802.16 無線モジュール 102等) は、20 MHzバンド幅の直交周波数分割多重（Orthogonal Frequency-Division Multiplexing、OFDM) 技術を用いる。表１で示される WiMAX 通信サービスの操作周波数バンドは、WLANとブルートゥース通信サービスの操作周波数バンドに近い。図１２ａ〜図１２ｃは、マルチ無線共存状況を示す図である。携帯電話 1100 とラップトップ装置 1200 は、移動電子装置 100の具体例で、WiMAX 通信サービスを提供するIEEE 802.16 無線モジュールと、ブルートゥース通信サービスを提供する少なくとも一つのIEEE 802.15.1 無線モジュールと、WLAN 通信サービスを提供する IEEE 802.11 無線モジュールを含む。共同設置無線モジュールのハードウェア機構の詳細は、図１と対応する記述を参照することができ、ここで詳述しない。
【００２０】
図１２ａで示されるように、携帯電話 1100 は、基地局1103により、全二重音声電話 GSM 通信サービスを利用し、一方で、それと同時に、中継局1102により、WiMAX上で、インターネットブラウジングを実行する。携帯電話 1100 は、構成された PAN により、音声データをブルートゥースハンドセット 1101 に伝送し、内蔵されたブルートゥースモジュール (図1の IEEE 802.15.1 無線モジュール 103 等)により、ブルートゥースハンドセット 1101 のマイクロフォンにより捕捉される音声信号を受信する。前述のように、WiMAXモジュール (図1の IEEE 802.16 無線モジュール 102 等) とブルートゥ−スモジュールが、近接する周波数バンドで操作し、図１のように、互いに物理的に近接して位置する時、干渉が発生する。図１３は、データフレームアロケーションと802.16 ダウンリンク (DL) と アップリンク (UL) データフレームアロケーションを伝送（Tx）と受信（Rx）する802.15.1を示すトラフィックパターンを示す図である。ブルートゥ−スモジュールが、無線インターフェースにより、データを 802.15.1 フレーム 210中のブルートゥースハンドセット 1101に伝送し、同時に、802.16 フレーム 220で、無線インターフェースにより、中継局1102から、データを受信する時、伝送されたブルートゥースデータは、WiMAXモジュールにより捕捉され、捕捉の過程で、干渉が発生する。同様に、WiMAXモジュールが、802.16 フレーム 230で、無線インターフェースにより、データを中継局 1102に伝送し、同時に、ブルートゥ−スモジュール が、802.15.1 フレーム 240中、無線インターフェースにより、ブルートゥースハンドセット 1101 からデータを受信する時、伝送された WiMAXデータは、ブルートゥースモジュールにより捕捉され、干渉が発生する。長距離伝送のWiMAXのTx電力は、通常、ブルートゥースモジュールにより許容されるRx電力よりも強いので、伝送された WiMAXデータがブルートゥースモジュールにより捕捉される時、干渉問題が更にひどくなる。
【００２１】
図１２ｂは、ブルートゥース と WLANモジュール間で生じる干渉の別の状況を示す図である。携帯電話 1100 は、ボイスオーバーIP (VoIP) 通信サービスを利用し、一方で、それと同時に、インターネットからのVoIPデータは、WLANモジュール (図１で示されるIEEE 802.11 無線モジュール 101 等) 等により、WLAN接続を通じて受信される。その後、携帯電話 1100 は、構成された PANにより、音声データをブルートゥースハンドセット 1101に伝送し、ブルートゥ−スモジュールにより、ブルートゥースハンドセット 1101のマイクロフォンにより捕捉される音声信号を受信する。前述のように、WLANモジュールとブルートゥ−スモジュール は、共に、スペクトルを共有し、図１のように、もう一つの物理的に近接して位置するので、干渉が発生する。図１２ｃは、ブルートゥース と WiMAXモジュール間で生じるもう一つの干渉状況を示す図である。ラップトップ装置 1200は、中継局1102から、WiMAX上で、マルチメディアストリーミング、又は、データを受信し、同時に、音声データをブルートゥースハンドセット 1101に伝送する。ブルートゥースハンドセット 1101 はワイヤレスイヤーフォンとして用いられ、図１２ｃで示されるように、ラップトップ装置 1200から受信される音楽を再生する。ラップトップ装置 1200とブルートゥースハンドセット 1101 は、アドバンスオーディオ分布形状 (A2DP)と互換性がある。一方向の 2-チャネルステレオオーディオストリーム、例えば、MPEG-1、MPEG-2、MPEG-4、 アドバンスオーディオコーディング (AAC)、アトラック（ Adaptive Transform Acoustic coding (ATRAC)、又は、その他のオーディオストリームは、ACLリンクを用いて、ラップトップ装置 1200のブルートゥ−スモジュールから、ブルートゥースハンドセットに運ばれる。しかし、前述のように、WiMAXモジュールとブルートゥ−スモジュールは、近接する周波数バンドで操作し、図１のように、互いに物理的に近接して位置するので、干渉が発生する。よって、干渉を防止するため、通信装置中のCLC無線モジュールの操作を調和する方法が必要とされる。
【００２２】
図１４は、IEEE 802.16m プロトコル構造を示す図である。IEEE 802.16m 媒体アクセス制御 (MAC) は、二つのサブレイヤーに分割され、収束サブレイヤー (CS) 1401 と 共通部分サブレイヤー (CPS)である。MAC 共通部分サブレイヤーは、更に、無線リソース制御と管理 (RRCM) 機能、及び、媒体アクセス制御 (MAC) 機能に分類される。RRCM 機能は、制御平面上で実現される。MAC 機能は、制御とデータ平面上で実現される。RRCM 機能は、無線リソース機能に関連するいくつかの機能ブロックがある。
・ 無線資源管理 (1402);
・ 移動度管理 (1403);
・ ネットワーク-エントリー管理  (1404);
・ ロケーション管理 (1405);
・ アイドルモード管理 (1406);
・ セキュリティ管理 (1407);
・ システム構成管理 (1408);
・ マルチキャストブロードキャストサービス (MBS) (1409);
・ サービスフローと接続管理 (1410);
・ 中継機能 (1411);
・ 自己組織化 (1412); 及び
・ マルチキャリア (1413)である。
【００２３】
無線リソース管理ブロック 1402 は、トラフィック負荷に基づいて、無線ネットワークパラメータを調整し、負荷制御 (load balancing)、流入制御と干渉制御の機能を有する。移動度管理ブロック 1403 は、Intra-RAT/Inter-RAT ハンドオーバーに関する機能をサポートする。移動度管理ブロック 1403は、Intra-RAT/Inter-RAT ネットワークトポロジー捕捉を処理し、候補の隣接ターゲット基地局 (BS)/基準基地局 (YBS)/アドバンスト基地局 (ABS)/中継局(RS)/アドバンスト中継局(ARS) の通知と測定、及び、管理を含み、且つ、移動局 (MS)/アドバンスト移動局 (AMS) が、Intra-RAT/Inter-RAT ハンドオーバー操作を実行するかを決定する。ネットワーク-エントリー管理ブロック 1404 は、初期化とアクセス工程に用いられる。ネットワーク-エントリー管理ブロック 1404 は、アクセス工程、測距、基本能力協議、登録等で必要とされる管理メッセージを生成する。ロケーション管理ブロック 1405は、ロケーションベースサービス (LBS)をサポートするのに用いられる。ロケーション管理ブロック 1405は、LBS 情報含むメッセージ を生成する。アイドルモード管理ブロック 1406 は、アイドルモード期間、ロケーション更新操作を管理する。アイドルモード管理ブロック 1406 は、アイドルモード操作を制御し、コアネットワーク側のページングコントローラーからのページングメッセージに基づいて、ページング通知メッセージを生成する。セキュリティ管理ブロック 1407 は、安全な通信のための認証/許可とキーマネージメントに用いられる。システム構成管理ブロック 1408は、システム構成パラメータを管理し、システム構成情報を MS/AMSに伝送する。E-MBS (Enhanced -  Multicast  Broadcast Service)ブロック 1409は、管理メッセージとブロードキャスティングに関連するデータ、及び/又は、 マルチキャスティングサービスを制御する。サービスフローと接続管理ブロック 1410 は、アクセス/ハンドオーバー/サービスフロー生成工程中、ステーション識別子 (STID)とフロー識別子 (FID) を割り当てる。中継機能ブロック 1411 は、マルチホップ中継メカニズムをサポートする機能を有する。機能は、ABS と アクセスARS間の中継パスを維持する工程を含む。自己組織化ブロック 1412 は、自己構成と自己最適化メカニズムをサポートする機能を実行する。機能は、RS/MSに、自己構成と自己最適化の測定の報告を要求し、RS/MS から測定を受信する工程を含む。マルチキャリア (MC) ブロック 1413 は、コモン MAC 実体を有効にして、マルチ周波数チャネル上で、物理 (PHY) スパニングを制御する。チャネルは、隣接、又は、非隣接の周波数バンド上で、異なるバンド幅 (例えば、 5、 10 と 20 MHz)からなる。チャネルは、同じ、又は、異なる二重化モード、例えば、周波数分割双方向 (FDD)、時分割二重 (TDD)、又は、双方向の混合からなり、キャリアだけを放送する。隣接周波数チャネルに対し、重複ガード副搬送波は、周波数ドメインに配列され、データ伝送に用いられる。
【００２４】
媒体アクセス制御 (MAC) 機能群の制御平面部分は、物理層とリンク制御 に関する機能ブロックを含み、 
・ PHY 制御 (1414);
・ 制御シグナル伝達 (1415);
・ スリープモード管理 (1416);
サービス品質 (QoS) (1417);
・ スケジューリングとリソース多重化 (1418);
・ マルチ無線共存 (1419);
・ データ転送 (1420);
・ 干渉管理 (1421); 及び
・ Inter-ABS 調整、などがある。
【００２５】
PHY 制御ブロック 1414 は、PHYシグナル伝達、例えば、測距、測定/フィードバック (CQI)、及び、ハイブリッド自動再送要求（Hybrid Automatic Repeat reQuest 、HARQ) ACK/NACKを処理する。CQI と HARQ ACK/NACKに基づいて、 PHY 制御ブロックは、MS/AMSにより観察されるチャネル品質を推測し、変調及びコーディングスキーム (MCS)、及び/又は、 電源レベルを調整することにより、リンク適応を実行する。 測距工程中、 PHY 制御ブロック 1414 は、電源調整、周波数オフセットとタイミングオフセット推定に対し、UL同期化を実行する。制御シグナル伝達ブロック 1415 は、リソースアロケーションメッセージを生成する。スリープモード管理ブロック 1416 は、スリープモード操作を処理する。 スリープモード管理ブロック 1416 は、スリープ操作に関するMAC シグナル伝達も生成し、スケジューリングとリソース多重化ブロック 1418 と通信して、スリープモードに従って操作する。各接続に対し、QoS ブロック 1417 は、サービスフローと接続管理ブロック 1410 〜入力されるQoSパラメータに基づいて、QoS 管理を処理する。スケジューリングとリソース多重化ブロック 1418 は、接続の属性に基づいて、パケットをスケジュール、及び、多重化する。接続の属性を反映するため、スケジューリングとリソース多重化ブロック 1418 は、各接続のQoSブロックから、QoS 情報を受信する。マルチ無線共存ブロック 1419 は、同じ移動局上に配列されたIEEE 802.16m と 非IEEE 802.16無線の同時操作をサポートする機能を実行する。 RSが、ABSと AMS間の経路にある時、データ転送ブロック 1420 は、転送機能を実行する。データ転送ブロック 1420 は、 別のブロック、例えば、スケジューリングとリソース多重化ブロック 1418 と MAC プロトコル データユニット (PDU) 形成ユニット 1424と協力する。干渉管理ブロック 1421は、セル間/セクター干渉を管理する機能を実行する。操作は、MAC 層操作と PHY 層操作を含む。MAC 層操作は、MAC シグナルによる、干渉測定/判断報告の伝送、及び、スケジューリングとフレキシブルな周波数再利用による干渉緩和、を含む。PHY 層操作は、電源制御伝送、干渉ランダム化、干渉解除、干渉測定、及び、Tx ビーム形成/プレコーディングを含む。
【００２６】
Inter-ABS 調整ブロックは、情報、例えば、干渉管理を交換することにより、複数のABSsの活動を調和する機能を実行する。機能は、バックボーンシグナル伝達と MS/AMS MAC メッセージングにより、情報、例えば、ABS間の干渉管理を交換する工程を含む。情報は、干渉特徴、例えば、干渉測定結果等を含む。データ平面は、以下の MAC 機能を含む。
・ ARQ (1422);
・ フラグメンテーション/パッキング (1423); 及び
・ MAC PDU 形成 (1424)。
ARQ ブロック 1422 は MAC ARQ 機能を処理する。ARQ-使用可能接続に対し、 ARQ ブロックは、論理的にMAC サービスデータユニット (SDU) を ARQ ブロックに分割し、各ロジカルARQ ブロックに番号をつける。ARQ ブロックは、フィードバックメッセージ(ACK/NACK 情報)等の ARQ 管理メッセージも生成する。フラグメンテーション/パッキングブロック 1423 は、スケジューリングとリソース多重化ブロックのスケジューリング結果に基づいて、MSDU (MAC サービスデータユニット) のフラグメンテーション、又は、パッキングを実行する。MAC プロトコルデータユニット (PDU) 形成ユニット1424 は MAC PDU を構築し、ABS/AMS は、ユーザートラフィック、又は、管理メッセージを PHY チャネルに伝送する。MAC PDU 形成ユニット 1424はMAC ヘッダーを追加し、サブヘッダーを追加する。
【００２７】
図１５は、本発明の具体例による基本 WiMAX フレーム構造を示す図である。各 20 ms スーパーフレームは4個の同サイズの 5 ms 無線フレームに分けられる。5 MHz、10 MHz、又は、20 MHzのチャネル帯域幅に対し、同じOFDMA パラメータを用いる時、各 5 ms 無線フレーム は、更に、8個のサブフレームからなる。サブフレームは、DL、又は、UL 伝送に割り当てられる。サイクリックプレフィックスのサイズに基づいて、4タイプのサブフレームがある。: 1) タイプ1 サブフレームは、6個の OFDMA 符号 (どれかはアイドル符号)からなる。2) タイプ2 サブフレームは、パンクチャード（punctured）された符号を有する5個の OFDMA 符号からなる。 3) タイプ3 サブフレームは、1符号が加えられた7個の OFDMA 符号 からなる。 4) タイプ4 サブフレームは、3符号が加えられた9個のOFDMA 符号からなる。
【００２８】
図１に戻ると、本発明の具体例によると、IEEE 802.16 無線モジュール 102 は、プロトコルを提供し、マルチ無線共存操作をサポートする。本発明の具体例中、 CLC 無線管理器 104 は、無線モジュール101、102 と 103にインターフェースを提供し、無線モジュール101、102 と 103の活動を検出し、対応する CLC 無線モジュールから、又は、内部無線インターフェースから、直接、共同設置無線活動に関係する情報(時間特性と無線特徴等)を、移動電子装置 100に収集し、管理メッセージをマルチ無線共存処理モジュール (図14で示されるマルチ無線共存機能ブロック 1419)に生成して、対応する動作に応答し、マルチ無線共存操作をサポートする。注意すべきことは、CLC 無線管理器 104 は、無線モジュール101、102、及び/又は、103 の内部で実現することもでき、本発明はこれに限定されない。
【００２９】
本発明の具体例によると、IEEE 802.16 無線モジュール 102 と 基地局 (BS) 、又は、中継局 (RS) (中継局 1102と基地局 1103等) は、無線インターフェースにより互いに通信する。IEEE 802.16 無線モジュール 102 は、管理メッセージを生成して、内部無線インターフェース、又は、CLC 無線管理器 104から直接得られた共同設置無線活動に関する情報を報告し、BS、又は、RS は、管理メッセージを生成して、IEEE 802.16 無線モジュール 102 に対し、対応する活動を応答して、マルチ無線共存操作をサポートする。更に、BS、又は、RS でのマルチ無線共存機能ブロック 1419は、スケジューリングとリソース多重化機能ブロック 1418と通信し、報告された共同設置共存活動に従って、操作する。マルチ無線共存機能は、スリープモード操作から独立して用いられ、最適な出力効率、高レベルの共存サポートを可能にする。しかし、スリープモードが十分な共同設置共存サポートを提供する時、マルチ無線共存機能は用いられない。
【００３０】
IEEE 802.16 無線モジュール 102 は、サービングBS から、予め協議される周期的な休止（pre-negotiated  periodic absences ）を導いて、共同設置の非-802.16 無線の同時操作をサポートし、非-802.16 無線は、CLC 無線、例えば、IEEE 802.11、IEEE 802.15.1 等で、周期的な休止等の時間パターンは、複数の CLCクラスに分類されて、最適な時間、及び/又は、スペクトル効果を得る。表２で示されるように、3タイプのCLCクラスがあり、CLC 開始時間、アクティブ周期とアクティブ間隔の時間単位の差異に基づいて、3タイプは互いに異なる。CLC アクティブ 間隔は、共同設置の非802.16 無線活動に指定されるCLCクラスの時間分である。CLC アクティブ 周期は、CLCクラス反復のアクティブパターンの時間間隔である。CLC 開始時間は、 CLCクラスの開始時間である。
【表２】
2011530251.tif 000004
本発明の具体例によると、 IEEE 802.16 無線モジュール 102 は、共同設置の非802.16無線の活動に基づいて、CLC アクティブ間隔 と CLC アクティブ周期を決定する。移動電子装置 100 は、タイプ I、又は、タイプ II CLCクラスのCLC 開始時間を決定する。BS は、タイプ II、又は、III CLCクラスのCLC 開始時間を決定する。タイプ I CLCクラスが、低デューティサイクルの非802.16 無線活動に用いられるように推薦され、802.16 フレーム境界と照準しない。反対に、タイプ II CLCクラスが、スケジューリングの柔軟性に用いられるように推薦される。タイプ III CLCクラスが、連続した 非802.16 無線活動に用いられるように推薦され、希望時間よりも長く、例えば、数秒持続される。
【００３１】
本発明の具体例によると、共同設置の非802.16 無線モジュール (CLC 無線モジュールとも称され、例えば、IEEE 802.11 無線モジュール 101、又は、IEEE 802.15.1 無線モジュール 103等である)の通信状態が変化する時、IEEE 802.16 (WiMAX) 無線モジュール 102 、及び/又は、 CLC 無線管理器 104に対して、学習フェーズに進入し、対応する CLC 無線モジュールの無線特徴を識別する。本発明の具体例によると、無線モジュール101、102 と103間を相互作用させるCLC 無線管理器104は、各 CLC 無線モジュールの活動を検出し、通信状態の変化を知ることができる。例えば、通信状態の変化が発生するのは、ブルートゥ−スモジュール、又は、WLANモジュールがオン、オフ、又は、停止する時、ブルートゥ−スモジュールが調査工程を実行して、付近の装置を発見するか、又は、ページ (接続) 工程を実行して、特定のリンクを構築する時、WLANモジュールがアクセスプロセスを実行して、AP との関連付けを試みるか、又は、異なる通信モード間が変化する時、ブルートゥ−スモジュールが、図９で示される傍受モード 930 とアクティブモード 910 間で変化する時、等である。本発明の具体例中、無線モジュール101、102 と103 は、ハードウェアピンにより、信号をCLC 無線管理器 104 に導入するか、又は、ソフトウェア/ファームウェア割り込み信号を発信して、対応する無線モジュールの有効化/解除を示す。本発明の別の具体例中、CLC 無線管理器 104は、無線モジュール101、102、及び/又は、103 の無線信号を監視して、信号電力に従って、信号干渉の範囲を判断する。例えば、WiMAXモジュール 102の無線信号の信号品質が継続的に劣化する時、別の無線モジュールが起動して、信号干渉が発生することを意味する。
【００３２】
学習フェーズ中、 WiMAXモジュール 102は、サービングBSから、休止期間を要求して、CLC 無線モジュールの初期設定、又は、初期設定操作をサポートする。図 16は、本発明の具体例によるCLC要求のメッセージフローの相互作用図である。 WiMAXモジュール 102 は、 CLC_Request をサービングBSに伝送して、CLC 無線モジュールの有効化を示し、休止期間を要求する。サービングBS は、CLC 開始時間前、CLC_Request に応答する。サービングBS が CLC_Requestを受け入れるとき、この期間で、好ましくは、サービングBS と WiMAXモジュール間のデータ伝送を避ける。つまり、この期間、移動電子装置100の無線リソースは、好ましくは、共同設置の非802.16 無線モジュールの有効化のために残されて、その無線特徴を得る。本発明の具体例によると、CLC 無線モジュールの無線特徴は、伝送電力、受信感度、トラフィックパターン (図１３で示されるトラフィックパターン等)等を含む。その後、WiMAXモジュール 102 、及び/又は、 CLC 無線管理器 104 は、更に、起動した/起動中の CLC 無線モジュールから得られた特徴を識別する。WiMAXモジュール 102は、別の CLC_Request を サービングBSに伝送して、CLC 無線モジュールが起動しない時、共同設置の非 IEEE 802.16 無線モジュールの解除を示すか、又は、CLC 無線モジュールの初期設定、又は、接続設定が終了したことを示す。その後、サービングBS と WiMAXモジュール 間のデータ伝送が実行される。
【００３３】
本発明の具体例中、WiMAXモジュール 102 は、 CLC_要求メッセージを伝送して、一つ、或いは、それ以上のタイプ I、タイプ II、又は /及び、タイプ III CLCクラスを起動、終了、又は、再配置する。表 3 は CLC_要求メッセージパラメータを示す。
【表３】
2011530251.tif 000005
要求動作は、情報のバイトである。要求動作フィールドのビット #iが"0"に設定されるとき、CLC ID = i のCLCクラスが存在する場合、WiMAXモジュール 102 は、存在するCLC ID = iの CLCクラスの終了を既に要求したことを示す。CLC 識別子 (CLC ID) は整数 (0~7)で、 独自に、CLCクラスを識別する。 一方、要求動作フィールドのビット #i が "1"に設定される時、WiMAXモジュール 102 は、CLC ID = iの CLCクラス の起動を既に要求したことを示す。存在する CLC IDにとって、 MS は、存在配置を維持し、再配置を要求、又は、存在する CLCクラスを代替する。要求された動作パラメータは、 CLC 情報混合物として含まれる。WiMAXモジュール 102 は、複数のCLC 情報 フィールドを含むことが望まれる場合、これらのパラメータは、一度以上出現する。CLC 情報は、CLC ID、 CLCクラスタイプ、トラフィックパターン、無線パラメータが作用を発揮する開始時間等を含む。本発明の具体例によると、トラフィックパターンは、一サブフレーム時間単位に達する高解像度により記述して、時間、及び/又は、スペクトル効果を改善する。トラフィックパターンを記述する方法は、ビットマップ、共存比、アクティブと非アクティブウィンドウ、リアルタイム (快速) フィードバック等を含む (トラフィックパターンは後続の段落で詳述される)。表 4 は、CLC 情報パラメータ中、CLC_要求メッセージに適用するパラメータを示す。
【表４】
2011530251.tif 000006
CLC_Request フィールド中のパラメータは、以下のようである:
フラグ:
b00: タイプ I CLCクラス; 
b01: タイプ II CLCクラス サブタイプ 1;
b10: タイプ II CLCクラス サブタイプ 2 、又は、 3; 及び
b11: タイプ III CLCクラス.
スケジューリング衝突:
0b00 (default) = DL と UL アロケーションは共に、CLC アクティブ 間隔で禁止される;
0b01 = DL アロケーションだけが、CLC アクティブ 間隔で禁止される;
0b10 = UL アロケーションだけが、CLC アクティブ 間隔で禁止される; 及び
0b11 = 保留。
タイプ I CLCクラスのCLC アクティブ 間隔 :
タイプ I CLCクラスのCLC アクティブ 間隔のサブフレーム数。
タイプ I CLCクラスのCLC アクティブ 周期 : 
タイプ I CLCクラスのCLC アクティブ 周期のマイクロ秒数.
サブタイプ 1を有するタイプ II CLCクラスのCLC アクティブ 間隔:
タイプ II CLCクラスのCLC アクティブ 間隔のサブフレーム数
サブタイプ 1を有するタイプ II CLCクラスのCLC アクティブ 周期:
タイプ II CLCクラスのCLC アクティブ 周期のフレーム数.
拡張 CLC アクティブ ビットマップ インジケーター:
拡張 CLC アクティブビットマップフィールドが用いられるかを示す。
CLC アクティブビットマップ:
フィールドのビットを"1" に設定し、各フレーム中の対応するサブフレームが CLC アクティブ 間隔にあることを示す。
拡張 CLC アクティブビットマップ:
フィールドのビットを"1"に設定し、各 CLC アクティブ 周期中の対応するサブフレームが CLC アクティブ 間隔にあることを示す。
タイプ III CLCクラスのCLC アクティブ 間隔 :
タイプ III CLCクラスのCLC アクティブ 間隔 のスーパーフレーム数。
【００３４】
本発明の具体例によると、WiMAXモジュール は、タイプ IIIに設定されるCLCクラスを有するCLC_requestをサービングBS に伝送して、長期間の休止を要求し、学習フェーズをサポートする。CLCクラスは、上述のように、フラグフィールドにより指定される。 本発明の別の具体例によると、 WiMAXモジュールは、CLC_request toサービングBS も伝送し、直接、学習期間を要求し、学習フェーズを要求する。図１７は、本発明の具体例による学習フェーズ中のCLC要求のメッセージフローを示す相互作用図である。 CLC 無線活動検出後、 WiMAXモジュール 102 は、CLC パラメータがないCLC_requestをサービングBSに伝送し、学習期間を要求する。 学習期間中、移動電子装置 100の無線リソース は、好ましくは、起動中のCLC 無線モジュールに保留されて、その無線特徴を得る。本発明の具体例によると、この期間中、 好ましくは、サービングBS と WiMAXモジュール 102間のデータ伝送を避ける。しかし、サービングBSにとって、 データをWiMAXモジュール 102に伝送する必要がある場合、 サービングBS は、通信信頼度を増加する。本発明の具体例によると、サービングBS は、更にしっかりとしたダウンリンク変調及びコーディングスキーム (MCS)を用い、ダウンリンクバースト伝送電力を増加して、ダウンリンクとアップリンク両方で、ARQ 、又は、 HARQ を用いて、更に多くの再伝送を可能にする。例えば、サービングBS は、MCS 順序を減少させる、又は、コードレートを減少させる等により、更にしっかりとしたダウンリンク MCSを用い、MCS 順序は、例えば、前のデータ、又は、（サブ）MAP変調に用いる16-QAM に代わって、QPSK を用いる。時間切れに近い期間中、CLC 無線モジュールが全部の対応する無線特徴を得られない場合、WiMAXモジュール 102 は、 別の CLC_Request を伝送して、別の学習フェーズを開始するか、又は、学習フェーズを延長する。サービングBS は、延長学習フェーズの確認、又は、対応する要求の拒絶を含むCLC 応答メッセージにより、WiMAXモジュール 102に応答することもできる。起動された CLC 無線モジュールの無線特徴を得た後、WiMAXモジュール 102 、及び/又は、 CLC 無線管理器 104 は、CLC 無線モジュールに対応するCLC タイプ と CLC パラメータを決定する。
【００３５】
CLC 無線モジュールの対応する無線特徴を得て、確認後、WiMAXモジュール 102 は交渉段階に進入し、得られた CLC 無線活動パターンを記述し、サービングBSに伝達する。CLC 無線活動パターンはパラメータを含み、学習フェーズで得られた、又は、予め定義された配置より得られたCLC 無線活動を記述する。CLC 無線活動は、図６、図８、図１０と図１１の記述を参考にする。例えば、起動した CLC 無線モジュールのCLC 無線活動パターンは、伝送電力、受信感度、開始時間、時間分、送受信タイプ等に関する情報を含む。本発明の具体例によると、DL と UL データトラフィックスケジューリングに用いるWiMAXモジュール 102のトラフィックパターンは、更に、CLC 無線モジュールの得られたトラフィックパターンに従って生成され、CLC 無線モジュールと WiMAXモジュール 102の操作を調和する。生成されたトラフィックパターンは、WiMAXモジュール 102に用いる複数の推奨ダウンリンク、及び/又は、アップリンクトラフィックアロケーションを記述する。これにより、移動電子装置 100 の 一つ、又は、それ以上の無線リソースは調和されて、信号干渉、又は、送受信対立を回避する。交渉段階で、 WiMAXモジュール 102 は、生成されたトラフィックパターンに従って、サービングBS に、一つ、又は、それ以上の休止期間を要求し、共同設置の非802.16無線の操作をサポートする。本発明の具体例によると、 WiMAXモジュール 102 は、WiMAXモジュール 102 のあるCLCクラスに用いる生成されたトラフィックパターンを有するCLC_RequestをサービングBSに伝送する。図１８は、本発明の具体例による交渉段階中、CLC要求のメッセージフローの相互作用を示す図である。CLC_要求メッセージパラメータに関する詳細は、表３、表４と対応する段落を参照する。
【００３６】
上述のように、本発明の本具体例中、生成されたトラフィックパターンは、一サブフレーム時間単位に達する高解像度を有し、時間、及び/又は、スペクトル効果を改善する。トラフィックパターンを記述する方法は、ビットマップ、共存比、アクティブと非アクティブウィンドウ、リアルタイム (快速) フィードバック等を含む。ビットマップは、複数のビット情報を含むビットシーケンスで、ビットの異なるロジックレベルを用いて、トラフィックパターンを記述する。例えば、ビットが第一ロジックレベルに設定される時、この時間間隔で、CLC 無線モジュールは無線活動を有するので、BSが、対応する時間間隔で、WiMAXモジュール 102をサービスしないように推薦されることを意味する。ビットが第二ロジックレベルに設定される時、 対応する時間間隔で、BSがWiMAXモジュール 102に対し、自由に、ダウンリンク、又は、アップリンクトラフィックを割り当てることを意味する。例えば、CLC 無線トラフィックパターンは、サブフレームビットマップ (タイプ II CLCクラスに用いる) で、一ビットにより、各サブフレームのトラフィックパターンを記述する。サブフレームビットマップ中のビットの第一ロジックレベルは、対応するサブフレーム時間間隔、BS が、WiMAXモジュール 102に対し、ダウンリンク、又は、アップリンクトラフィックを割り当てないように推薦されることを示し、ビットの第二ロジックレベルは、対応するサブフレーム時間間隔で、BS が、WiMAXモジュール 102に対し、自由に、ダウンリンク、又は、アップリンクトラフィックを割り当てることを示す。これにより、1 バイトのビットマップ は、一フレームのトラフィック情報を含み、各ビット は一サブフレームを記述するのに用いられる。別の具体例として、二個のビットマップを用いて、それぞれ、DL トラフィックパターン と UL トラフィックパターンを記述することも可能である。別の具体例として、一ビット情報により、各フレームのトラフィックパターンを記述することも可能である。これにより、ビットマップの4ビットが用いられて、一スーパーフレームのトラフィック情報を記述する。共存比は、パーセンテージを用いて、CLC 無線モジュールの保留時間を示す。例えば、30% の共存比は、BSが、好ましくは、CLC 無線活動に保留される30％の所定の時間間隔を確保するように推薦されることを示す。共存比は、非周期性のCLC無線活動に適する。アクティブウィンドウと非アクティブウィンドウは、開始スーパーフレーム、フレーム、又は、サブフレーム数、及び、CLC 無線活動のアクティブと非アクティブ期間を指定する。ウィンドウは、CLCタイプに従って、ミリセカンド、スーパーフレーム、フレーム、又は、サブフレーム時間単位を用いる。リアルタイム (快速) フィードバックは、フィードバックチャネル、又は、サービングBSにより割り当てられる専用の UL リソースで、後続のフレームで、WiMAXモジュール 102を割り当てて、その無線リソースの優先権（preference）を報告する。リアルタイム (快速) フィードバックは、ダイナミックトラフィックパターンを有するCLC無線に適用する。
【００３７】
CLC 無線活動パターンの受信後、サービングBS は、CLC_応答メッセージを有する確認コードにより、WiMAXモジュール 102 に応答し、CLC_Request が受け入れられたか示す。BSの負荷が変化する時、CLC 無線活動パターンが必要とされる、又は、更新する場合、サービングBSは、更に、CLC パラメータを修正するか決定する。受信した CLC 無線活動パターンに基づいて、サービングBS は、CLC_要求メッセージから得られたWiMAXモジュール 102の推奨トラフィックパターンに従って、ダウンリンクとアップリンク WiMAX トラフィックアロケーションをスケジュールする。スケジュールされたダウンリンクとアップリンク WiMAX トラフィックアロケーションは、サービングBSにより周期的に放送される対応するダウンリンクとアップリンク MAP (DL_MAP ad UL_MAP) 中で指定される。CLC 無線活動パターンの認識に基づいて、WiMAXモジュールとCLC 無線モジュールの後続のデータ伝送と受信は、互い違いになり、伝送衝突を回避する。
【００３８】
本発明の具体例によると、起動した CLC 無線モジュールの通信状態、又は、無線特徴が変化する時、WiMAXモジュール 102 は、更に、CLC パラメータを更新し、例えば、WLANモジュールが、PSモードに進入、又は、PSモードから離れる時、ブルートゥース装置は、SCO、eSCO、又は、ACLリンク等を確立、又は、釈放する。図 19 は、本発明の具体例によるCLC パラメータを更新/削除/生成するCLC要求のメッセージフローの相互作用を示す図である。CLC 無線特徴が変化する、又は、CLC 無線が失活するか、又は、新しい CLC 無線活動が検出される時、WiMAXモジュール 102 は、CLC_Request を伝送し、CLC パラメータを更新し、前の CLC要求を削除するか、又は、新しいCLC要求を生成する。サービングBS は、CLC_Requestの受信に基づいて、DLとUL WiMAX トラフィックアロケーションを修正し、CLC_応答メッセージを有する確認コードにより、WiMAXモジュール102 に応答して、CLC_Requestが無線インターフェースにより受け入れられたか示す。その後、サービングBS は、修正されたダウンリンクとアップリンク WiMAX トラフィックパターンに従って、WiMAXデータトラフィックをスケジュールする。
【００３９】
本発明の具体例によると、無線モジュールは、トラフィックパターンジェネレーター (TPG) を有し、対応するトラフィックパターンを生成し、CLC 無線管理器 104 は、同期情報ジェネレーター (SIG) を有し、異なる無線モジュールから得られるトラフィックパターン間を調和する。図1で示されるように、IEEE 802.11 無線モジュール 101 は TPG 301を含み、IEEE 802.16 無線モジュール 102 は TPG 302を含み、IEEE 802.15.1 無線モジュール 103 はTPG 303を含み、CLC 無線管理器 104 は SIG 304を含む。SIG 304 は、基準クロックに従って、異なる無線モジュールのトラフィックパターンを調和し、サービングBSを同期化し、IEEE 802.16 無線モジュール 102から受信する。例えば、 TPG 303は、学習フェーズで得られる無線特徴に従って、ブルートゥース HV3 トラフィックパターンを生成し、ブルートゥース HV3 トラフィックパターンをSIG 304に伝送する。上述のように、トラフィックパターンを表す方法は、ビットマップ、共存比、アクティブと非アクティブウィンドウ、リアルタイム (快速) フィードバック等を含む。例えば、TPG 301 は、｛150μs,625μs,3750μs｝により、ブルートゥース HV3 トラフィックパターンを示し、第一パラメータは、HV3 トラフィックの開始時間を示し、第二パラメータ は、HV3 トラフィックの長さを示し、第三パラメータは、HV3 トラフィックの繰り返し周期を示す。つまり、ブルートゥース HV3 トラフィックパターンにより搭載される情報は、長さが625μsの HV3 トラフィックは150μs後開始され、且つ、HV3 トラフィックが3750μs毎に繰り返されることを示す。例えば、TPG 303 は、HV3 トラフィックの開始よりも150μs早く、HV3 無線活動を出力する。SIG 304 は、更に、WiMAXモジュール 102から、原始の DL_MAP と UL_MAP、フレームクロックとサブフレームクロックを受信し、HV3 トラフィックパターン、原始のDL_MAPとUL_MAPに従って、推奨ダウンリンク、及び/又は、アップリンクトラフィックアロケーションを表すWiMAX トラフィックパターンを生成する。
【００４０】
図２０は、本発明の具体例による推奨 WiMAX トラフィックパターンを生成する方法のフローチャート図である。CLC 無線モジュールから、トラフィックパターン受信 (ステップ S2001)後、SIG 304 は、WiMAXモジュール 102の基準クロックに従って、トラフィックパターンを変換する (ステップ S2002)。例えば、SIG 304 は、WiMAXモジュール 102のフレームクロック、及び/又は、サブフレームクロックに従って、CLCトラフィックパターンを変換し、WiMAX フレーム、又は、サブフレーム時間単位で、CLC トラフィックパターンを特徴付ける。注意すべきことは、CLC 無線モジュールは、WiMAXモジュール 102と異なるタイミング特徴を有する基準クロックを使用するので、ステップ 2002の変換がSIG 304 に必要で、CLC 無線モジュールタイミングにより特徴付けられるトラフィックパターンを、 CLC トラフィックパターンWiMAX タイミングにより記述されるCLCトラフィックパターンに変換することである。最後に、SIG 304 は、変換されたCLC トラフィックパターンに従って、推奨 WiMAX トラフィックパターンを生成する (ステップ S2003)。注意すべきことは、本具体例中、CLC 無線管理器 104 は、ソフトウェア/ファームウェアモジュールにより実行されることである。しかし、タイミングを精確にするため、CLC 無線管理器 104のある機能、例えば、SIG 304は、ハードウェア装置により実行されて、快速に応答することもでき、本発明は、これに限定されないことである。この他、SIG 304、又は、CLC 無線管理器 104は、WiMAXモジュール 102の内部で実行されてもよい。これにより、本発明のある具体例中、 WiMAXモジュール 102、又は、TPG 302 は、 CLC トラフィックパターンを受信し、CLC トラフィックパターンを変換し、推奨 WiMAX トラフィックパターンを生成するが、本発明は、これに限定されない。
【００４１】
図２１は、本発明の具体例によるトラフィックパターンを示す図である。この具体例中、CLC トラフィックは、ブルートゥース HV3 トラフィックで、WiMAX トラフィックパターンは、サブフレームビットマップにより表される。図２２は、本発明の具体例によるサブフレームビットマップを生成する方法のフローチャート図である。WiMAXモジュール 102のフレームクロックとサブフレームクロックに従って、CLC トラフィックパターンを変換後、SIG 304、又は、WiMAXモジュール 102 は、変換された CLCトラフィックパターンに従って、後続の WiMAX サブフレームに、CLC 無線活動があるか決定する (ステップ S2201)。対応する後続のサブフレーム中にCLC無線活動がある時、サブフレームに対応するビットは、第一ロジックレベルに設定される (ステップ S2202)。例えば、ロジック ‘0’ が設定され、対応するサブフレーム時間間隔、BS が、WiMAXモジュール 102に対し、ダウンリンク、又は、アップリンクトラフィックを割り当てないように推薦されることを示す。対応する後続のサブフレームに、CLC無線活動がないとき、サブフレームに対応するビットは、第二ロジックレベルに設定される (ステップ S2203)。例えば、ロジック‘1’ が設定され、対応するサブフレーム時間間隔、BS は、WiMAXモジュール 102に対し、自由に、ダウンリンク、又は、アップリンクトラフィックを割り当てることを示す。次に、SIG 304、又は、WiMAXモジュール 102 は、更に、サブフレームビットマップ中の全ビットが既に設定されたか判断する (ステップ S2204)。サブフレームビットマップの全ビットが既に設定されている時、SIG 304、又は、WiMAXモジュール102 は、推奨 WiMAX トラフィックパターンを出力する (ステップ S2205)。そうでない場合、プロセスはステップ S2201に戻る。本発明の具体例によると、サブフレーム/フレームビットマップの長さは、CLC無線トラフィック重複周期とWiMAX サブフレーム/フレーム間隔の最小公倍数（LCM）に従って決定される。ブルートゥース HV3 トラフィックパターン{150μs,625μs,3750μs}を例とすると、サブフレームビットマップの長さは、LCM(3750, 5000)/5000=3 バイトにより得られる。これにより、SIG 304、又は、WiMAXモジュール 102は、3 バイトの長さを有するサブフレームビットマップを生成し、3 フレーム(つまり、24 サブフレーム)の推奨 WiMAX トラフィックパターンを表し、サブフレームビットマップ は、3 フレーム毎に再利用される。
【００４２】
図２３は、本発明の具体例によるトラフィックパターンを示す図である。本発明の具体例中、アクティブと非アクティブウィンドウは、WLANモジュール 101のビーコンフレーム間隔を表すのに用いられる。ビーコンフレームの重複周期は102.4msである。802.16 フレームが CLC アクティブウィンドウに落ちる時、WiMAXモジュール 102のフレーム時間間隔中、BS は、ダウンリンク、又は、アップリンクトラフィックを割り当てないように推薦される。802.16 フレームが CLC 非アクティブウィンドウに落ちる時、BS は自由で、WiMAXモジュール 102のフレーム時間間隔中、ダウンリンク、又は、アップリンクトラフィックを割り当てる。図２４は、本発明の別の具体例によるトラフィックパターンを示す図である。本発明の具体例中、リアルタイム (快速) フィードバックが用いられて、WLANモジュール 101のビーコンフレーム間隔を表す。リアルタイム (快速) フィードバックは、フレームビットマップを搭載し、802.11 ビーコンのCLC無線活動を示す。本具体例中、ビットマップ中のロジック ‘0’ が用いられて、入力ビーコンがあるので、BS は、対応するフレーム時間間隔で、WiMAXモジュール 102に、ダウンリンク、又は、アップリンクトラフィックが割り当てられないように推薦されることを示し、ビットマップ中のロジック ‘1’ が用いられて、BS は、対応するフレーム時間間隔中、WiMAXモジュール 102に対し、自由に、ダウンリンク、又は、アップリンクトラフィックを割り当てることを示す。
【００４３】
本発明の具体例によると、推奨 WiMAX トラフィックパターン (図２１のWiMAX DL/UL サブフレームビットマップ、図２３のアクティブ/非アクティブウィンドウ、又は、図２４のリアルタイム (快速) フィードバック) が生成された後、 CLC 無線管理器 104 は、推奨 WiMAX トラフィックパターンを搭載する管理メッセージをマルチ無線共存処理モジュール (図１４のマルチ無線共存機能ブロック 1419)に生成し、対応する動作に反応して、マルチ無線共存操作をサポートする。注意すべきことは、前述のように、WiMAXモジュール102は、直接、推奨 WiMAX トラフィックパターンを生成しているが、本発明は、これに限定されないことである。次に、前述の交渉段階で、WiMAXモジュール 102のマルチ無線共存処理モジュールは、CLC_Request を生成して、得られたトラフィックパターンをサービングBSに特徴付ける。注意すべきことは、周波数分割双方向 (FDD) WiMAXに対し、二個のトラフィックパターン(つまり、DLと UL トラフィックパターン) が要求され、時分割二重 (TDD) WiMAXに対し、DL と UL トラフィックパターンは、それぞれ、サービングBSに伝送されるか、又は、サービングBSに伝送される前に、一トラフィックパターンに統合される。サービングBSがトラフィックパターンを受信後、サービングBSのスケジューリングとリソース多重化ブロック 1418 は、DL と UL トラフィックをスケジュールし、サービングBSの制御シグナル伝達ブロック1415は、スケジューリング結果に従って、新しいDL_MAP と UL_MAP を生成する。WiMAXモジュール 102 が、サービングBSにより生成された新しい DL_MAP と UL_MAP を受信後、WiMAXモジュール 102 は、 DLとUL トラフィックを割り当てて、サービングBSにデータフレームを伝送、又は、サービングBSからデータフレームを受信する。本発明の具体例によると、新しい DL_MAPとUL_MAP IEEE 802.16 無線モジュールの無線活動と共同設置の非802.16 無線モジュールの無線活動に対応して生成される推奨 WiMAX トラフィックパターンに従って生成されるので、新しく受信された DL_MAPとUL_MAP に基づくDLとUL トラフィック アロケーションは、十分に調整が図られ、これにより、伝送と受信対立が回避される。しかし、CLC 活動が存在する時、サービングBSはデータをWiMAXモジュール 102に伝送する必要がある場合、前述のように、サービングBSが通信信頼度を増加させることができる。例えば、サービングBSが、もっとしっかりとしたダウンリンク MCSを使用して、ダウンリンクバースト伝送電力を増加させ、ダウンリンクとアップリンクトラフィック両方で、ARQ、又は、HARQを用いて、更に多くの再伝送を可能にする。
【００４４】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００４５】
100…移動電子装置；
101…IEEE 802.11無線モジュール；
102…IEEE 802.16無線モジュール；
103…IEEE 802.15.1無線モジュール；
104…共同設置共存無線管理器；
201…IEEE 802.11装置；
202…IEEE 802.16装置；
203…IEEE 802.15.1装置；
210、240…802.15.1フレーム；
220、230…802.16フレーム；
301、302、303…TPG；
304…SIG；
400…MACデータ；
410…フレーム制御領域；
420…電源管理ビット；
430…データビット；
440…フレームタイプビット；
450…フレームサブタイプビット；
460…フレーム本体フィールド；
610…ビーコンフレーム；
620…PS-Poll要求；
630、650…ACK；
640…バッファ型フレーム；
910…アクティブモード；
930…傍受モード；
1100…携帯電話；
1101…ブルートゥースハンドセット；
1102…中継局；
1103…基地局；
1200…ラップトップ装置；
1401…収束サブレイヤー；
1402…無線リソース管理ブロック；
1403…移動度管理ブロック；
1404…ネットワークエントリー管理ブロック；
1405…ロケーション管理ブロック；
1406…アイドルモード管理ブロック；
1407…セキュリティ管理ブロック；
1408…システム構成管理ブロック；
1409…マルチキャストブロードキャストサービスブロック；
1410…サービスフローと接続管理ブロック；
1411…中継機能ブロック；
1412…自己組織化ブロック；
1413…マルチキャリアブロック；
1414…PHYブロック；
1415…制御シグナル伝達ブロック；
1416…スリープモード管理ブロック；
1417…サービス品質ブロック；
1418…スケジューリングとリソース多重化ブロック；
1419…マルチ無線共存ブロック；
1420…データ転送ブロック；
1421…干渉管理ブロック；
1422…ARQブロック；
1423…フラグメンテーション/パッキングブロック；
1424…MAC PDU形成ユニット；
S2001〜S2003、S2201〜S2205：ステップ。
【図１】
2011530251.tif 000007
【図２】
2011530251.tif 000008
【図３】
2011530251.tif 000009
【図４】
2011530251.tif 000010
【図５】
2011530251.tif 000011
【図６】
2011530251.tif 000012
【図７】
2011530251.tif 000013
【図８】
2011530251.tif 000014
2011530251.tif 000015
【図９】
2011530251.tif 000016
【図１０】
2011530251.tif 000017
【図１１】
2011530251.tif 000018
【図１２ａ】
2011530251.tif 000019
【図１２ｂ】
2011530251.tif 000020
【図１２ｃ】
2011530251.tif 000021
【図１３】
2011530251.tif 000022
【図１４】
2011530251.tif 000023
【図１５】
2011530251.tif 000024
2011530251.tif 000025
【図１６】
2011530251.tif 000026
【図１７】
2011530251.tif 000027
【図１８】
2011530251.tif 000028
【図１９】
2011530251.tif 000029
【図２０】
2011530251.tif 000030
【図２１】
2011530251.tif 000031
【図２２】
2011530251.tif 000032
【図２３】
2011530251.tif 000033
【図２４】
2011530251.tif 000034
【手続補正書】
【提出日】平成23年2月3日(2011.2.3)
【手続補正１】
【補正対象書類名】特許請求の範囲
【補正対象項目名】全文
【補正方法】変更
【補正の内容】
【特許請求の範囲】
【請求項１】
通信装置であって、
第一ワイヤレスコミュニケーションサービスを提供し、第一プロトコルに従って、第一通信装置と通信する第一無線モジュールの活動を検出し、前記第一無線モジュールから、前記第一無線モジュールのダウンリンク、及び/又は、アップリンクトラフィックアロケーションを記述する第一トラフィックパターンを得て、前記第一トラフィックパターンに従って、第二ワイヤレスコミュニケーションサービスを提供し、第二プロトコルに従って、第二通信装置と通信する第二無線モジュールの第二トラフィックパターンを生成し、前記第一無線モジュールと前記第二無線モジュールの操作を調和する共同設置共存無線管理器を含み、
前記第二トラフィックパターンは、推奨ダウンリンク、及び/又は、アップリンクトラフィックアロケーションを、前記第二無線モジュールの複数のサブフレームに記述し、前記第二プロトコルにより定義される各サブフレームは、複数の直交周波数分割多重符号を含むことを特徴とする通信装置。
【請求項２】
前記第二無線モジュールは、更に、前記第二トラフィックパターンを前記第二通信装置に伝送するステップと、前記第二通信装置から、ダウンリンク、又は、アップリンクマップを受信するステップと、前記ダウンリンク、又は、アップリンクマップに従って、前記第二通信装置からデータを受信、又は、前記第二通信装置に送信するステップと、を含み、
前記ダウンリンク、又は、アップリンクマップは、前記第二トラフィックパターンに従って、前記第二通信装置により生成されることを特徴とする請求項１に記載の通信装置。  
【請求項３】
前記第二トラフィックパターンは、ビットシーケンスにより、前記サブフレームの推奨ダウンリンク、及び/又は、アップリンクトラフィックアロケーションを記述するサブフレームビットマップであることを特徴とする請求項１に記載の通信装置。
【請求項４】
前記サブフレームビットマップの各ビットが、第一ロジックレベルに設定され、前記対応するサブフレーム期間、前記第二通信装置が、前記第二無線モジュールに対し、ダウンリンク、又は、アップリンクトラフィックを割り当てないように推薦されることを示し、
前記サブフレームビットマップの各ビットが、第二ロジックレベルに設定され、前記対応するサブフレーム期間、前記第二通信装置が、前記第二無線モジュールに対し、ダウンリンク、又は、アップリンクトラフィックを自由に割り当てることを示すことを特徴とする請求項３に記載の通信装置。
【請求項５】
通信装置であって、
第二ワイヤレスコミュニケーションサービスを提供し、第二プロトコルに従って、第二通信装置と通信し、学習フェーズに進入し、第一要求メッセージを前記第二通信装置に伝送して、不在期間を要求して、第一ワイヤレスコミュニケーションサービスを提供し、第一プロトコルに従って、第一通信装置と通信する第一無線モジュールの初期設定、又は、接続設定操作をサポートする第二無線モジュールを備えることを特徴とする通信装置。
【請求項６】
前記第二無線モジュールは、更に、前記学習フェーズで、前記第一無線モジュールの複数の無線特徴を識別し、
前記無線特徴は、伝送電力、受信感度、前記第一無線モジュールから得られる前記第一無線モジュールのダウンリンク、及び/又は、アップリンクトラフィックアロケーションを記述する第一トラフィックパターンを含むことを特徴とする請求項５に記載の通信装置。
【請求項７】
前記学習フェーズで、データを前記第二無線モジュールに伝送する時、前記第二通信装置は、更に、伝送信頼度を増加させることを特徴とする請求項５に記載の通信装置。
【請求項８】
前に用いられたコーディングスキームよりも更にしっかりとしたダウンリンク変調とコーディングスキームを使用して、前記伝送信頼度を増加させることを特徴とする請求項７に記載の通信装置。  
【請求項９】
ダウンリンクバースト伝送電力を増加することにより、前記伝送信頼度が増加することを特徴とする請求項７に記載の通信装置。
【請求項１０】
ダウンリンクとアップリンクトラフィック両方で、自動再送要求、又は、ハイブリッド自動再送要求に対し、更に再伝送を割り当てることにより、前記伝送信頼度が増加することを特徴とする請求項７に記載の通信装置。
【請求項１１】
前記第二モジュールは、更に、第二要求メッセージを前記第二通信装置に伝送し、前記第一無線モジュールの前記初期設定、又は、接続設定操作が完成されず、且つ、前記前の要求期間がタイムアウトになりそうな時、別の学習フェーズを開始することを特徴とする請求項５に記載の通信装置。
【請求項１２】
前記第二無線モジュールは、更に、前記第二通信装置からの応答メッセージを受信し、前記学習フェーズ延長の確認、又は、前記要求の拒絶を含むことを特徴とする請求項５に記載の通信装置。
【請求項１３】
前記第一無線モジュールが調査工程を実行し、付近の装置、又は、ページ工程を発見して、前記第一無線モジュールと前記第一無線通信サービス間にリンクを構築する時、前記第二無線モジュールは、前記学習フェーズに進入することを特徴とする請求項５に記載の通信装置。
【請求項１４】
前記第一無線モジュールは、アクセス工程を実行し、アクセスポイントへの関連付けを試みる時、前記第二無線モジュールは前記学習フェーズに進入することを特徴とする請求項５に記載の通信装置。
【請求項１５】
前記第一無線モジュールが、オン、オフ、又は、停止する時、前記第二無線モジュールは、前記学習フェーズに進入することを特徴とする請求項５に記載の通信装置。
【請求項１６】
前記第一無線モジュールが異なる通信モード間で変化する時、前記第二無線モジュールは、前記学習フェーズに進入することを特徴とする請求項５に記載の通信装置。
【請求項１７】
第一無線モジュールと第二無線モジュールを含む移動電子装置からの共同設置共存要求に応答する方法であって、基地局により実行され、本方法は、
前記移動電子装置から共同設置共存要求を受信し、前記共同設置共存要求は、前記第二無線モジュールにトラフィック不在期間を要求して、前記第一無線モジュールの操作による干渉を回避させるステップと、
前記要求された期間、前記第二無線モジュールにデータを伝送するときの伝送信頼度を増加するステップと、
を備えることを特徴とする方法。
【請求項１８】
前に用いられたコーディングスキームよりも更にしっかりとしたダウンリンク変調とコーディングスキームを使用して、前記伝送信頼度を増加させることを特徴とする請求項１７に記載の方法。
【請求項１９】
ダウンリンクバースト伝送電力を増加することにより、前記伝送信頼度が増加することを特徴とする請求項１７に記載の方法。
【請求項２０】
ダウンリンクとアップリンクトラフィック両方で、自動再送要求、又は、ハイブリッド自動再送要求に対し、更に再伝送を割り当てることにより、前記伝送信頼度が増加することを特徴とする請求項１７に記載の方法。
【国際調査報告】
2011530251.tif 000035
2011530251.tif 000036